(57)【特許請求の範囲】
【請求項１】
第１の押圧面を有する第１の操作部材と、
前記第１の操作部材から離間した位置で前記第１の押圧面が押される方向に対して垂直な軸により軸支される第２の操作部材と、
前記第２の操作部材を収納するための収納部とを備え、
前記第２の操作部材は前記軸周りに回動して前記第１の押圧面と係合する係合面と、前記係合面と回動方向に並べられる第２の押圧面とを有し、前記第２の押圧面の面積は前記第１の押圧面の面積よりも大きく、
前記第２の押圧面は、前記軸と第２の押圧面の中心との距離が、前記軸と前記係合面の中心との距離よりも長くなるように設けられ、
前記第２の操作部材は、前記第１の操作部材とは反対方向に回動し、前記収納部に格納される操作装置。
【請求項２】
前記第２の操作部材は、その回動端から突出自在に設けられる突出端を有する開閉レバーをさらに備え、
前記収納部は、前記突出端と係合する係止部を備える請求項１に記載の操作装置。
【請求項３】
前記開閉レバーは前記係合面と一体であり、前記軸に向けて前記係合面を動作させることにより、前記突出端は前記第２の操作部材に収納される請求項２に記載の操作装置。
【請求項４】
請求項１から３のいずれかに記載の操作装置を備える携帯用機器。
【発明の詳細な説明】
【技術分野】
【０００１】
本発明は、例えば携帯用機器に用いられる操作装置に関する。
【背景技術】
【０００２】
操作装置は例えばカメラを操作するための操作釦として用いられる。ユーザにより押圧された操作釦は、カメラ内部に設けられたプッシュスイッチを押圧する。これにより各種情報がカメラに入力される。
【０００３】
細かい作業が不得手なユーザや、手袋等を着用しているユーザは、操作釦をうまく操作できないことがある。これを解決するため、カメラの操作釦よりも大きい操作釦を設けたハウジングをカメラに取り付ける構成が知られている（特許文献１）。
【特許文献１】特開２００６−１６２７８９号公報
【発明の開示】
【発明が解決しようとする課題】
【０００４】
しかし、カメラにハウジングを取り付けると、カメラの大きさ及び重量が増加する。またカメラの全ての操作釦に対応する操作釦をハウジングに設けることはできないため、カメラを操作するためにハウジングを取り外さなければならない場合が生じる。これはカメラの操作性を損なう。
【０００５】
本発明はこの問題を解決するものであり、容易に操作性を改善することが可能な操作装置を得ることを目的とする。
【課題を解決するための手段】
【０００６】
本願第１の発明による操作装置は、第１の押圧面を有する第１の操作部材と、第１の操作部材から離間した位置で第１の押圧面が押圧される方向に対して垂直な軸により軸支される第２の操作部材とを備え、第２の操作部材は軸周りに回動して第１の押圧面と係合する係合面と、係合面と回動方向に並べられる第２の押圧面とを有し、第２の押圧面の面積は第１の押圧面の面積よりも大きいことを特徴とする。
【０００７】
第２の押圧面は、軸と第２の押圧面の中心との距離が、軸と係合面の中心との距離よりも長くなるように設けられることが好ましい。
【０００８】
本願第２の発明によるカメラは、上記操作装置を備える。
【０００９】
カメラは、第２の操作部材を収納するための収納部を備え、第２の操作部材は、第１の操作部材とは反対方向に回動し、収納部に格納されるように構成されることが望ましい。
【００１０】
さらに、第２の操作部材はその回動端から突出自在に設けられる突出端を有する開閉レバーをさらに備え、収納部は、突出端と係合する係止部を備えるものであればなお良い。
【００１１】
また、開閉レバーは係合面と一体であり、軸に向けて係合面を動作させることにより、突出端は第２の操作部材に収納されても良い。
【発明の効果】
【００１２】
本発明によれば、容易に操作性を改善することが可能な操作装置を得ることができる。
【発明を実施するための最良の形態】
【００１３】
以下、本発明における操作装置の一実施形態について添付図面を参照して説明する。
【００１４】
図１は第１の実施形態による操作装置を備えるカメラ１００の斜視図である。
【００１５】
カメラ１００の正面にはレンズ１１０が設けられ、上面には第１の操作部材２００が設けられる。第１の操作部材２００はシャッターレリーズ釦である。第１の操作部材２００はユーザが押圧するための第１の押圧面２１０を有する。第１の押圧面２１０は、ユーザが容易に押圧できるように、カメラ１００の上面からわずかに突出する。
【００１６】
カメラ１００の第１の操作部材２００側の角部１２０には、第２の操作部材３００を軸支するための支持部１３０が設けられる。支持部１３０はカメラ１００の角部１２０から外部に向けて突出する。支持部１３０にはカメラ１００の厚さ方向に貫通する孔部１３１が設けられ、孔部１３１にはカメラ１００の上面と平行となるように回動軸１４０が貫通して設けられる。
【００１７】
回動軸１４０は、第２の操作部材３００の軸支端３０１に開口する孔部１３１と遊嵌し、第２の操作部材３００を回動自在に支持する。
【００１８】
図１において、第２の操作部材３００はカメラ１００の左側面に設けられた操作部材収納部１５０に収納されている。
【００１９】
次に、図１から４を用いてカメラ１００の側面に収納された第２の操作部材３００について説明する。図２では、説明のため押さえ板３３０が省略される。
【００２０】
カメラ１００の左側面には、第２の操作部材３００と略同じ大きさの凹部である操作部材収納部１５０が設けられる（図４参照）。操作部材収納部１５０のカメラ１００下側の側面に形成される窪みは係止部１５１である。操作部材収納部１５０には、画像出力端子及びＵＳＢコネクタ等の接続端子（図示しない）が設けられる。
【００２１】
第２の操作部材３００は開閉レバー３１０、バネ３２０及び押さえ板３３０を備える。第２の操作部材３００には、カメラ１００に収納されたときにカメラ１００の外部方向へ開口する開閉レバー収納部３４０が設けられる。開閉レバー収納部３４０には開閉レバー３１０及びバネ３２０が収納され、押さえ板３３０は収納された開閉レバー３１０及びバネ３２０を開閉レバー収納部３４０の外部から押圧しながら開閉レバー収納部３４０に固着される。これにより、開閉レバー３１０及びバネ３２０が第２の操作部材３００から外れることが防止される。
【００２２】
開閉レバー３１０は略直方体の基部３１１と、基部から開閉レバー３１０の厚さ方向に突出する第３の押圧部３１２と、開閉レバー３１０の長手方向に突出する突出部３１３とを備える。
【００２３】
バネ３２０は開閉レバー収納部３４０と開閉レバー３１０との間に設けられ、開閉レバー３１０を第２の操作部材３００の軸支端３０１から回動端３０２方向へ向けて付勢する。これにより突出部３１３は第２の操作部材３００の回動端３０２側の縁を貫通して突出する。第２の操作部材３００が操作部材収納部１５０に格納されたとき、突出部３１３は係止部１５１と嵌合する。第２の操作部材３００が操作部材収納部１５０に格納されるときにカメラ１００のボディと初めに接触する突出部３１３の先行接触部３１４は、面取りされる。これにより、第２の操作部材３００は操作部材収納部１５０にスムーズに格納される。
【００２４】
開閉レバー収納部３４０の幅は開閉レバー３１０の幅とほぼ同じであり、開閉レバー収納部３４０の長さは基部３１１の長手方向長さよりも長い。そのため、開閉レバー３１０は開閉レバー収納部３４０の中で第２の操作部材３００の長手方向に摺動可能である。
【００２５】
押さえ板３３０は厚さ方向に開口する穴を備え、開閉レバー３１０は第３の押圧部３１２を備える。第３の押圧部３１２はこの穴から第２の操作部材３００の外部へわずかに突出する第３の押圧面３１５を備える。ユーザは、この突出した第３の押圧面３１５を操作して、開閉レバー３１０を軸支端３０１側に摺動させる。これにより、突出部３１３は係止部１５１から外れる。第２の操作部材３００の軸支端３０１と孔部１３１との間には図示しないコイルバネが設けられる。第２の操作部材３００は、収納部１５０に格納されているとき、このコイルバネによりカメラ１００の外部方向に付勢される。突出部３１３が係止部１５１から外れると、このコイルバネの付勢力により、第２の操作部材３００は操作部材収納部１５０から外れる。ユーザは操作部材収納部１５０から外れた第２の操作部材３００を摘んで、回動軸１４０周りに回動させる（図４参照）。そして、第２の操作部材３００は第１の操作部材２００と係合する。
【００２６】
図５、６及び７を用いて第１の操作部材２００と係合した第２の操作部材３００について説明する。
【００２７】
第２の操作部材３００は、第１の操作部材２００を覆うように係合する。第３の押圧面３１５は第１の押圧面２１０と接触する係合部である。
【００２８】
第２の操作部材３００には、第３の押圧部３１２が突出する面の裏面からわずかに突出する第２の押圧部３５０が設けられる。第２の押圧部３５０は、第３の押圧面３１５と略平行な第２の押圧面３５１を備える。第２の押圧面３５１は、回動方向から見ると、２つの円弧を直線で接続した形状である。第２の操作部材３００が第１の操作部材２００を覆うように置かれたとき、第２の押圧面３５１は、カメラ１００の上面とほぼ同じ方向を向く。第２の押圧面３５１の面積は、第１の押圧面２１０の面積よりも大きい。
【００２９】
第３の押圧面３１５の中心と第２の押圧面３５１の中心とは、第２の操作部材３００の厚さ方向に略同軸状に置かれる。
【００３０】
ユーザが第２の押圧面３５１を押圧すると、第３の押圧面３１５から第１の押圧部材２００に第１の押圧面２１０を介して押圧力が伝達される。第１の操作部材２００はこの押圧力により押し下げられて、カメラ１００内部に設けられたプッシュスイッチを押圧する。
【００３１】
本実施形態によれば、第２の操作部材を回動させるだけの容易な操作で、一時的にシャッターレリーズ釦における押圧面の大きさを大きくすることができるため、ユーザは容易にシャッターレリーズ釦を操作することができる。
【００３２】
図８を用いて第２の実施形態について説明する。第１の実施形態と同様の構成については説明を省略する。
【００３３】
回動軸１４０から第２の押圧面４５１の中心までの距離ｙは、回動軸１４０から第３の押圧面４１５の中心までの距離ｘよりも長い。ユーザが第２の押圧面４５１を押圧すると、第３の押圧面４１５から第１の押圧部材２００に第１の押圧面２１０を介して押圧力が伝達される。梃子の原理により、第１の操作部材２００を直接押圧する力よりも、第２の操作部材４００を介して押圧する力の方が少なくなる。第１の操作部材２００はこの押圧力により押し下げられて、カメラ１００内部に設けられたプッシュスイッチを押圧する。
【００３４】
本実施形態によれば、少ない力で第１の操作部材２００を押圧しシャッターを切ることができる。少ない力でシャッターを切ることができれば、シャッターを切る瞬間にカメラ１００が動いてしまうおそれがなくなり、撮影画像の像ぶれを防止できる。
【図面の簡単な説明】
【００３５】
【図１】第１の実施形態によるカメラの斜視図である。
【図２】カメラの左側面図である。
【図３】図２のIII−III線における一部断面図である。
【図４】カメラの斜視図である。
【図５】カメラの斜視図である。
【図６】カメラの平面図である。
【図７】図６のVII−VII線における一部断面図である。
【図８】第２の実施形態によるカメラの一部正面図である。
【符号の説明】
【００３６】
１００  カメラ
１３０  支持部
２００  第１の操作部材
３００  第２の操作部材
【図１】
0004951435.tif 000002
【図２】
0004951435.tif 000003
【図３】
0004951435.tif 000004
【図４】
0004951435.tif 000005
【図５】
0004951435.tif 000006
【図６】
0004951435.tif 000007
【図７】
0004951435.tif 000008
【図８】
0004951435.tif 000009